(57)【要約】【課題】床用エキスパンションジョイントの床カバー材を、その端部を躯体に回転自在に支持して、他側の躯体が上下何れの方向に相対変位しても床カバー材の端部との接合が確実に維持されるように構成する。【解決手段】床カバー材５を支持する支持装置６を、躯体２の凹面部２１ａ内にリング形の係合部６１ｄの開口面を間隙長さ方向に向けて固定される躯体側係合部材６１と、リング形の係合部６２ｂを床カバー材５の端部５１から突出させて固定される床カバー材側係合部材６２と、並設された両係合部６１ｄ、６２ｂの開口面に軸部６３ａを挿通して連結するボルトナット６３、６４とにより構成し、床カバー材５の端部５１を回転自在に支持して躯体２に連結する。【選択図】図２
2013185329.tif 000002
【特許請求の範囲】
【請求項１】
躯体と躯体の間隙に床カバー材を取り付けて両躯体の床面を接合する床用エキスパンションジョイントの床カバー材支持装置において、
リング形の係合部を備えていて前記間隙に面する一側の躯体端部に設けられた凹面部内に前記係合部の開口面を間隙長さ方向に向けて固定される躯体側係合部材と、
リング形の係合部を備えていて前記床カバー材の端部から前記係合部を突出させて床カバー材に固定される床カバー材側係合部材と、
前記凹面部上で前記躯体側係合部材の係合部とこれに並設させた前記床カバー材側係合部材の係合部とを両係合部の開口面に軸部を挿通して連結するボルトナットと、
を備えた構成を有することを特徴とする床カバー材支持装置。
【請求項２】
躯体側係合部材の係合部と床カバー材側係合部材の係合部を、両係合部の開口面に適宜な長さのスペーサ管を被せたボルトの軸部を挿通し、スペーサ管の両端でボルトナットを締結することにより、当該スペーサ管の周面に沿って変位可能に連結した構成を有することを特徴とする請求項１に記載の床カバー材支持装置。
【請求項３】
躯体側係合部材は、前記凹面部に固定される台座の上面に支持板を上方に突出させて取り付け、この支持板に係合部であるリング体をその外周面を前記台座上面に接合させて取り付けた構成を有する請求項１又は２に記載の床カバー材支持装置。
【請求項４】
床カバー材側係合部材は、床カバー材の端部下面に固定される支持板に、係合部であるリング体を取り付けた構成を有する請求項１〜３の何れかに記載の床カバー材支持装置。
【請求項５】
リング体がアイボルト又はアイナットにより構成された請求項３又は４に記載の床カバー材支持装置。
【請求項６】
床用エキスパンションジョイントの床カバー材を、請求項４又は５に記載の支持装置を用いて躯体と躯体の間隙に取り付ける方法において、
間隙に面する一側の躯体端部に設けられた凹面部上に前記躯体側係合部材を構成する台座を固定する工程と、
床カバー材の端部下面に床カバー材側係合部材を構成する支持板を固定する工程と、
前記床カバー材の端部に固定された支持板にリング体を取り付けるとともに、このリング体に、前記躯体側係合部材を構成する支持板に取り付けられたリング体をボルトナット及びスペーサ管を用いて連結する工程と、
前記連結された両リング体が端部に取り付けられた前記床カバー材を両躯体間に架け渡す工程と、
前記一側の躯体端部に設けられた凹面部上で、前記床カバー材の端部に取り付けられた躯体側係合部材のリング体の支持板を台座の上面に締着固定することにより前記リング体を台座上に取り付ける工程と、
を有することを特徴とする床カバー材の取り付け方法。
【請求項７】
請求項１〜５の何れかに記載の床カバー材支持装置により、間隙を挟む躯体と躯体の間に架け渡された床カバー材が支持された構成を有することを特徴とする床用エキスパンションジョイント。
【発明の詳細な説明】
【技術分野】
【０００１】
本発明は、建築物に設けられた躯体と躯体の間隙を閉鎖して両躯体の床面を接合する床用エキスパンションジョイントに係り、両躯体の鉛直方向の相対変位に追従する機能を備えた構造のものに関する。
【背景技術】
【０００２】
地震などの震動による躯体の鉛直方向の変位に追従する接合部を備えた床用エキスパンションジョイントとして、躯体間の間隙を塞ぐ床カバー材の一側の端部を、当該端部が接合する側の躯体にコイルバネが巻かれたボルトを介して連結し、間隙を挟む他側の躯体が上方へ相対変位した際に、前記コイルバネの下方への弾圧付勢力を床カバー材に作用せしめ、これにより床カバー材の他側の端部が前記相対変位する躯体の上面に押し付けられて接合し、且つその状態のまま躯体に追従して上方へ変位するように設けられた構成のものが知られている（例えば特許文献１参照）。
【０００３】
他の床用エキスパンションジョイントとして、図１０に示されるように、間隙に面する一側の躯体の端部に、上面にナット１０１が固定された支持金具１０２を取り付ける一方、床カバー材１００の端部にブロック状の支持部材１０３を枢支ピン１０４、１０４により回転自在に取り付け、この支持部材１０３をボルト１０５でナット１０１の上方に固定することにより床カバー材１００を支持金具１０２に連結し、間隙を挟む他側の躯体が上方へ相対変位した際に、これに接合する床カバー材１００の他側の端部が前記枢支ピン１０４、１０４を支点として上方へ回転変位するように設けられた構成のものが知られている（例えば特許文献２参照）。
【０００４】
また、図１１に示されるように、間隙１１０の長さ方向に沿って配置された軸部材１１１を一側の躯体１１２の端部から間隙１１０内に突出させて取り付け、この軸部材１１１に床カバー材１１３の端部に設けた支持部材１１４を通して連結することで、床カバー材１１３が軸部材１１１周りで回転変位するように設けられた構成のものが知られている（例えば特許文献３参照）。
【先行技術文献】
【特許文献】
【０００５】
【特許文献１】特開２００５−３２５６１１号公報
【特許文献２】特開２００７−１３２１５７号公報
【特許文献３】特開２０１０−２２９７８７号公報
【発明の概要】
【発明が解決しようとする課題】
【０００６】
従来の床用エキスパンションジョイントのうち、床カバー材をコイルバネで下方へ弾圧付勢する構成のものは、床カバー材の他端部が躯体の変位に追従して一度でも上方へ変位したならばコイルバネが伸びきってしまい、地震が発生して上下の振動が何度か続いたような場合にはコイルバネが伸びきって床カバー材の位置を保持する機能が低下するという問題がある。また、この構成のものは、床カバー材の他端部の可動領域は上方に限定され、当該他端部が接合する躯体の下方への相対変位に追従できないという問題がある。
【０００７】
図１０に示された構成のものは、床カバー材１００に間隙の長さ方向の荷重が加わった場合に、その荷重が支持部材１０３を介してナット１０１に伝わり、ナット１０１の支持金具１０２との接続部に応力が集中してナット１０１が支持金具１０２から外れてしまい易いという問題がある。地震発生時の躯体の変動は、間隙の幅方向、長さ方向又は鉛直方向の各方向を組み合わせた全範囲に生じ、何れの方向から荷重を受けても破損し難い構造である必要がある。また、この構成のものも、床カバー材１００の端部の可動領域が上方への変位に限定され、躯体の下方への相対変位に追従できないという問題がある。
【０００８】
また、図１１に示された構成のものは、床カバー材１１３の端部が上下何れにも変位可能であるものの、軸部材１１１を間隙１１０内に突出させて取り付ける必要があるので施工がし難く、また、地震の際に床カバー材１１３に間隙１１０の長さ方向の荷重が加わったり床カバー材１１３の上面に下向きの大きな荷重が加わったりして、躯体１１２の端面の軸部材１１１との接続部に応力が集中して躯体１１２から軸部材１１１が外れると、軸部材１１１もろとも床カバー材１１３が間隙１１０の中に脱落する虞があるという構造上の問題がある。
【０００９】
本発明は従来技術の有するこのような問題点に鑑み、床用エキスパンションジョイントの床カバー材を、その一側の端部を躯体に回転自在に支持して、他側の躯体が上下何れの方向に相対変位しても床カバー材の端部との接合が確実に維持されるように構成し、何れの方向の荷重を受けても取り外れ難く、且つ簡単な作業により取り付けることができるようにすることを課題とする。
【課題を解決するための手段】
【００１０】
前記課題を解決するため本発明は、躯体と躯体の間隙に床カバー材を取り付けて両躯体の床面を接合する床用エキスパンションジョイントの床カバー材支持装置において、
リング形の係合部を備えていて前記間隙に面する一側の躯体端部に設けられた凹面部内に前記係合部の開口面を間隙長さ方向に向けて固定される躯体側係合部材と、
リング形の係合部を備えていて前記床カバー材の端部から前記係合部を突出させて床カバー材に固定される床カバー材側係合部材と、
前記凹面部上で前記躯体側係合部材の係合部とこれに並設させた前記床カバー材側係合部材の係合部とを両係合部の開口面に軸部を挿通して連結するボルトナットと、を備えた構成を有することを特徴とする。
【００１１】
これによれば、床カバー材の端部に設けられた床カバー材側係合部材と、間隙を挟む一側の躯体端部の凹面部に設けられた躯体側係合部材を、両部材の係合部にボルトの軸部を挿通し、軸部端部をナットにより締結することで、床カバー材は、その端部が両係合部材を介して前記一側の躯体端部の凹面部に連結して支持されるとともに他方の端部を他側の躯体端部に接合させて間隙上に取り付けられる。
躯体側係合部材は、その係合部の開口面を間隙長さ方向に向けて前記凹面部上に取り付けられており、これに床カバー材の端部に取り付けられた床カバー材側係合部材を並設し、両係合部をボルトナットで締結した状態でボルトの軸部は間隙長さ方向と平行な配置となり、この軸部を支点として床カバー材が回転自在に支持されるので、他側の躯体が上下何れかの方向に相対変位した場合に、これに追従して床カバー材が前記ボルトの軸部を支点として回転し、相対変位する躯体と床カバー材の端部との接合状態を確実に維持することができる。
【００１２】
前記構成の支持装置において、躯体側係合部材の係合部と床カバー材側係合部材の係合部を、両係合部の開口面に適宜な長さのスペーサ管を被せたボルトの軸部を挿通し、スペーサ管の両端でボルトナットを締結することにより、当該スペーサ管の周面に沿って変位可能に連結した構成を有することが好ましい。
ボルトの軸部にスペーサ管を被せ、このスペーサ管の周面に両係合部材の係合部を係合することで、床カバー材がボルトの軸部周りに回転する際の接触抵抗が少なくなり、両係合部材の係合部がスペーサ管の周面を滑動して床カバー材をスムーズに回転させることができる。また、スペーサ管の両端でボルトナットを締結することで取り付け操作性が良好となり、スペーサ管の周面上で両係合部材が適宜な間隔を開けて係合されていれば、仮に地震の際に床カバー材が間隙長さ方向の荷重を受けても、前記係合位置に適宜な配置間隔があることにより、荷重が直ちに床カバー材の端部から凹面部の支持装置へと伝わることはなく、前記荷重を受けることによる支持装置の破損を防止することができる。
【００１３】
前記構成の支持装置において、躯体側係合部材と床カバー材側係合部材は、ボルトの軸部が挿通可能なリング形の係合部とこの係合部を躯体端部の凹面部又は床カバー材に一体に固定する部位を備えた部材をいう。係合部の形状は、例えばリング状やＣ字状、鈎状など、その開口面にボルトの軸部を挿通して前記軸部の外周に確実に係合し且つナットを外さない限り軸部から抜けることのない形状であることが好ましい。係合部とこれを固定する部位は、一体の部材に設けられていても、複数の部材に設けられていても何れでもよい。
前記構成の支持装置において、躯体側係合部材は、前記凹面部に固定される台座の上面に支持板を上方に突出させて取り付け、この支持板に係合部であるリング体をその外周面を前記台座上面に接合させて取り付けた構成に設けることができる。
台座の上面にリング体の外周面を接合させて躯体側係合部材が構成してあれば、床カバー材の荷重がリング体から直接台座に伝わって凹面部で受けることとなり、部材の接続部分に荷重による応力が集中して部材を破損に至らしめるようなことはない。
また、床カバー材側係合部材は、床カバー材の端部下面に固定される支持板に、係合部であるリング体を取り付けた構成に設けることができる。さらに、前記リング体をアイボルト又はアイナットを用いて構成することができる。
【００１４】
また、前記構成の支持装置を用いた本発明の床カバー材の取り付け方法は、
間隙に面する一側の躯体端部に設けられた凹面部上に前記躯体側係合部材を構成する台座を固定する工程と、
床カバー材の端部下面に床カバー材側係合部材を構成する支持板を固定する工程と、
前記床カバー材の端部に固定された支持板にリング体を取り付けるとともに、このリング体に、前記躯体側係合部材を構成する支持板に取り付けられたリング体をボルトナット及びスペーサ管を用いて連結する工程と、
前記連結された両リング体が端部に取り付けられた前記床カバー材を両躯体間に架け渡す工程と、
前記一側の躯体端部に設けられた凹面部上で、前記床カバー材の端部に取り付けられた躯体側係合部材のリング体の支持板を台座の上面に締着固定することにより前記リング体を台座上に取り付ける工程と、を有することを特徴とする。
本発明の床用エキスパンションジョイントは、前記構成の支持装置により、間隙を挟む躯体と躯体の間に架け渡された床カバー材が支持された構成を有することを特徴とする。
【００１５】
本発明の床カバー材の支持装置は、特殊な形状や寸法で形成された部材を用いることなく、標準品として市場に流通している金属板や形材、ボルトナットなどを用いて低廉な加工コストで作製可能である。また、床カバー材の取り付けも、一側の躯体における凹面部上での取り付け操作によって簡易な手順により行うことができ、これにより床カバー材を回転自在に支持して構成される床用エキスパンションジョイントの施工コストの低廉化を実現することができる。
【図面の簡単な説明】
【００１６】
【図１】本発明の一実施形態の床用エキスパンションジョイントの縦断面図である。
【図２】図１に示された床カバー材を支持する支持装置の拡大断面図である。
【図３】図３の概略上面図である。
【図４】図２の支持装置の構成部材を展開した外観図である。
【図５】図２の支持装置を構成する躯体側係合部材と床カバー材側係合部材の側面図である。
【図６】床カバー材と躯体凹面部における支持装置の取り付け位置を示した床カバー材及び躯体凹面部の側面図と上面図である。
【図７】図２の支持装置を用いて床カバー材を取り付ける工程を説明するための図である。
【図８】支持装置による床カバー材の回転機能を説明するための図である。
【図９】図１の床用エキスパンションジョイントにおける躯体の相対変位が生じた際の動作を説明するための図である。
【図１０】従来の床カバー材支持装置の一例を説明するための図である。
【図１１】従来の床カバー材支持装置の他の例を説明するための図である。
【発明を実施するための形態】
【００１７】
本発明の好適な実施形態を図面に基づいて説明する。
図１は本発明の一実施形態の床用エキスパンションジョイントの縦断面を示しており、図示されるように、この床用エキスパンションジョイント１は、例えば免震構造の躯体２と非免震構造の躯体３の間の間隙４に、両躯体２、３に跨るように床カバー材５が取り付けられて両躯体２、３の床面２１、３１を床カバー材５で接合するとともに、床カバー材５の一側の端部５１を支持装置６で回転自在に支持して躯体２に連結し、躯体３が躯体２に対して上下何れの方向に相対変位してもこれに追従して床カバー材５が前記端部５１側を支点に回転することで、躯体３の床面３１と床カバー材５の他側の端部５２との接合が確実に維持されるように構成してある。
【００１８】
詳しくは、図２〜図５に示されるように、床カバー材５は、例えばステンレス鋼板からなる本体カバー上に縞鋼板を一体に重ねた積層板を用い、これを間隙４の全体を覆う長さ及び間隙４の幅の２倍よりも若干大きな幅の寸法に設定して形成されており、躯体２に接合する側の端部５１には後述する床カバー材側係合部材６２が固定してある。
【００１９】
支持装置６は、図４に示されるように、躯体２の端部に固定される躯体側係合部材６１、床カバー材５の端部５１に固定される床カバー材側係合部材６２、ボルト６３とナット６４、スペーサ管６５及びワッシャ６６により構成されている。
躯体側係合部材６１は、溝形鋼からなる台座６１ａの上面にアングル材からなる支持板６１ｂを上方に突出させてボルトナット６１ｃにより固定し、台座６１ａの上方でリング体であるアイボルト６１ｄを、その開口面を台座６１ａの上面に対して垂直に交差させ、且つその外周面を台座６１ａの上面に接合させて、つまり台座６１ａ上にアイボルト６１ｄの外周面が載るように配置し、前記支持板６１ｂに形成された通孔にアイボルト６１ｄの軸部を通しナット締めにより固定して、台座６１ａ上にアイボルト６１ｄを一体に取り付けて形成してある。
床カバー材側合部材６２は、アングル材からなる支持板６２ａの外面に、前記アイボルト６１ｄと同寸のリング体であるアイボルト６２ｂをその開口面を当該支持板６２ａの側面に対して垂直縦向きに交差させて配置し、前記支持板６２ａに形成された通孔にアイボルト６２ｂの軸部を通しナット締めにより固定して、支持板６２ａにアイボルト６２ｂを一体に取り付けて形成してある。
【００２０】
支持装置６は、両係合部材６１、６２を互いにアイボルト６１ｄ、６２ｂが並設するように配置した状態で、両アイボルト６１ｄ、６２ｂの開口面に、ワッシャ６６とスペーサ管６５を嵌め込んだボルト６３の軸部６３ａを挿通し、軸部６３ａの端部にワッシャ６６を介してナット６４を螺合してスペーサ管６５の両端でボルトナット６３、６４を締結することにより組み立てられ、これによりスペーサ管６５を介して両アイボルト６１ｄ、６２ｂがボルト６３の軸部６３ａの外周に係合し、前記躯体側係合部材６１の台座６１ａ上で床カバー材側係合部材６２が前記軸部６３ａを支点としてその周りに回転変位可能に支持されるように構成してある。
【００２１】
支持装置６の躯体側係合部材６１は、その台座６１ａの側面に取り付け片を溶接固着した状態で、躯体２の間隙４に面する端部に設けられた凹面部２１ａの上面に設置され、前記取り付け片の上面からアンカーボルトを凹面部２１ａ内に打ち込むなどして当該凹面部２１ａ上に固定される。このとき、アイボルト６１ｄが凹面部２１ａ内に納まるように、つまりアイボルト６１ｄの上端が凹面部２１ａよりも上方へ突出しないように設定され、また、アイボルト６１ｄの開口面が間隙４の長さ方向を向くように台座６１ａの固定位置が調整される。
また、床カバー材側係合部材６２は、支持板６２ａの他側面を床カバー材５の端部５１の下面に溶接固着して固定され、この固定された支持板６２ａに、アイボルト６２ｂが前記のように配置されて取り付けられる。このとき、図２に示されるように、アイボルト６２ｂを支持板６２ａに取り付けた状態で、アイボルト６２ｂの半周面が床カバー材５の端部５１よりも外方に突出するように、支持板６２ａの固定位置が調整される。
【００２２】
なお、図６に示されるように、躯体側係合部材６１は躯体２の凹面部２１ａ上に複数個が所定の間隔を開け、且つ各アイボルト６１ｄの開口面の中心が間隙４の長手方向に沿った同一直線上に揃うように配置して取り付けられる。
また、床カバー材側係合部材６２は、床カバー材５を両躯体２、３に架け渡した際に前記躯体側係合部材６１のアイボルト６１ｄにアイボルト６２ｂが並設するように、前記各躯体側係合部材６１の取り付け位置に位置対応させて、床カバー材５の端部５１に複数個が取り付けられる。
【００２３】
これらの部材により構成される本形態の床用エキスパンションジョイント１は、以下の施工手順により取り付けることができる。
先ず、両躯体２、３の端部の下地を形成した後、図７（Ａ）に示されるように、躯体２の凹面部２１ａ上に躯体側係合部材６１を構成する台座６１ａを固定する。このとき、台座６１ａ上には支持板６１ｂを連結するためのボルト６１ｃを突出させておく。
凹面部２１ａ上に複数の台座６１ａを固定するにあたり、各台座６１ａに取り付けられるアイボルト６１ｄの向きを揃えるため、台座６１ａ上にアイボルト６１ｄが取り付けられている状態で各台座６１ａを固定するようにしてもよい。この場合、台座６１ａを固定した後、各台座６１ａの上面からアイボルト６１ｄが取り付けられた支持板６１ｂを取り外しておく。
また、床カバー材５の端部５１には、床カバー材側係合部材６２を構成する支持板６２ａを溶接固着する。
【００２４】
次いで、床カバー材５の端部５１に固定された支持板６２ａにアイボルト６２ｂを締着固定して一体に取り付けるとともに、このアイボルト６２ｂに躯体側係合部材６１を構成するアイボルト６１ｄを、ボルトナット６３、６４を用いて連結する。アイボルト６１ｄは支持板６１ｂに取り付けられた状態で連結する。
アイボルト６１ｄとアイボルト６２ｂの連結は、前記のように両アイボルト６１ｄ、６２ｂの開口面に、ワッシャ６６とスペーサ管６５を嵌め込んだボルト６３の軸部６３ａを挿通し、軸部６３ａの端部にワッシャ６６を介してナット６４を螺合してスペーサ管６５の両端でボルトナット６３、６４を締結することにより行われる。
【００２５】
次いで、前記連結された両アイボルト６１ｄ、６２ｂが端部５１に取り付けられた床カバー材５を、両躯体２、３間に架け渡して取り付ける。
そして、図７（Ｂ）に示されるように、躯体２の凹面部２１ａ上で、アイボルト６１ｄとともに床カバー材５の端部５１に取り付けられた支持板６１ｂを、前記台座６１ａの上面に接合し、且つ支持板６１ｂに形成された通孔に前記ボルト６１ｃを通しナットにより締着固定して、前記連結状態のアイボルト６１ｄを台座６１ａ上に固定する。
【００２６】
その後、図７（Ｃ）に示されるように、凹面部２１上に取り付けられた躯体側係合部材６１に曲げアングル材７を差し込んでナット締めにより固定し、その後、凹面部２１ａ内における曲げアングル材７で仕切られた、躯体２中央側の空隙部分にモルタルを充填する。
そして、モルタル硬化後、同図（Ｄ）に示されるように、前記曲げアングル材７の上面に、への字見切り材８をビス留めして凹面部２１ａの上部隙間を閉鎖することで床用エキスパンションジョイント１の施工が完了する。
【００２７】
このように構成された本形態の床用エキスパンションジョイント１によれば、間隙４を覆って両躯体２、３に跨るように床カバー材５が取り付けられ、床カバー材５を介して両躯体２、３の床面２１、３１を接合するとともに、図８に示されるように、床カバー材５の端部５１が躯体２の凹面部２１ａ上で支持装置６を介して間隙長さ方向に沿った軸（ボルト６３の軸部６３ａ）を支点として回転自在に支持され、躯体３が躯体２に対して上下何れの方向に相対変位したとしても、これに追従して床カバー材５が前記軸を支点に回転することで変位を吸収し、躯体３の床面３１と床カバー材５の端部５２との接合を確実に維持することが可能である。
【００２８】
すなわち、図９を用いてその機能を説明すれば、同図（Ａ）に示された床カバー材５の当初の取り付け位置において、先ず、間隙４の両側で躯体２、３が間隙４の長さ方向（Ｙ方向；図面手前から奥行きに至る方向）に沿って相対変位した場合、躯体３の床面３１に載せた床カバー材５の端部５２が変位に追従して床面３１上をスライドすることで前記Ｙ方向の変位を吸収する。
【００２９】
同図（Ｂ）、（Ｃ）に示されるように、間隙４の両側で躯体２、３が間隙４の幅方向（Ｘ方向）に沿って間隙４を狭める向又は拡げる方向に相対変位した場合、前記と同様に、躯体３の床面３１に載せた床カバー材５の端部５２が変位に追従して床面３１上をスライドすることで前記Ｘ方向の変位を吸収する。
【００３０】
また、同図（Ｄ）に示されるように、躯体２、３がＸ方向に沿って間隙４を狭めつつ、鉛直方向（Ｚ方向）に沿って躯体３側が上方に相対変位した場合は、躯体３の床面３１が床カバー材５の下面を上方へ押し上げる変動に追従して、床カバー材５が前記支持装置６のボルト６３の軸部６３ａを支点として上方に回転することで、前記両方向の変位を吸収することができる。
【００３１】
さらに、同図（Ｅ）に示されるように、躯体２、３がＸ方向に沿って間隙４を狭めつつ、鉛直方向（Ｚ方向）に沿って躯体３側が下方に相対変位した場合には、躯体３の床面３１が降下する変動に追従して、床カバー材５が前記支持装置６のボルト６３の軸部６３ａを支点として下方に回転することで、降下する躯体３の床面３１と床カバー材５の端部５２の接合状態を維持したまま、前記両方向の変位を吸収することができる。
【００３２】
地震発生時に躯体２、３に発生する変位は、前記Ｘ方向、Ｙ方向及びＺ方向の各方向を組み合わせた全範囲に生じるが、本形態の床用エキスパンションジョイント１は、床カバー材５の可動領域をＸ方向、Ｙ方向及びＺ方向の全方向に設けてあるので、躯体２、３が何れの方向に相対変位しても、変位に追従して床カバー材５がスライドし或いは回転することで変位を吸収し、躯体２、３の間に隙間を生じさせることなく間隙４を床カバー材５で確実に閉鎖することが可能である。
【００３３】
なお、図示した床用エキスパンションジョイント１や支持装置６の構成及びその施工手順は、本発明の実施形態の一例を示すものであり、本発明はこれに限定されず、他の適宜な形態で構成し、他の手順によって施工することが可能である。
支持装置６の躯体側係合部材６１と床カバー材側係合部材６２は、係合部を構成するリング体であるアイボルト６１ｄ、６２ｂの代わりにアイナットを用いてもよく、係合部の開口面が他の形状のもの、例えばＣ字形や鈎形などの係合部材を用いてもよい。アイナットやアイボルトなどの標準品である係合部材単体で前記両係合部材６１、６２を構成し、これを直に躯体３の凹面部２１ａや床カバー材５に取り付けてもよい。
これら変形例と前記実施の形態の任意の組み合わせもまた本発明の実施の形態として有用である。
【符号の説明】
【００３４】
１  床用エキスパンションジョイント、２，３  躯体、２１ａ  凹面部、４  間隙、５  床カバー材、６  支持装置、６１  躯体側係合部材、６２  床カバー材側係合部材、６１ｄ，６２ｂ  アイボルト（リング体）、６３  ボルト、６３ａ  軸部、６４  ナット、６５  スペーサ管、７  曲げアングル材、８  への字見切り材
【図１】
2013185329.tif 000003
【図２】
2013185329.tif 000004
【図３】
2013185329.tif 000005
【図４】
2013185329.tif 000006
【図５】
2013185329.tif 000007
【図６】
2013185329.tif 000008
【図７】
2013185329.tif 000009
【図８】
2013185329.tif 000010
【図９】
2013185329.tif 000011
【図１０】
2013185329.tif 000012
【図１１】
2013185329.tif 000013
【手続補正書】
【提出日】平成24年6月26日(2012.6.26)
【手続補正１】
【補正対象書類名】特許請求の範囲
【補正対象項目名】請求項１
【補正方法】変更
【補正の内容】
【請求項１】
躯体と躯体の間隙に床カバー材を取り付けて両躯体の床面を接合する床用エキスパンションジョイントの床カバー材支持装置において、
リング形の係合部を備えていて前記一側の躯体上の間隙に面する端部に設けられた凹面部内に前記係合部の開口面を間隙長さ方向に向けて固定される躯体側係合部材と、
リング形の係合部を備えていて前記床カバー材の端部から前記係合部を突出させて床カバー材に固定される床カバー材側係合部材と、
前記凹面部上で前記躯体側係合部材の係合部とこれに並設させた前記床カバー材側係合部材の係合部とを両係合部の開口面に軸部を挿通して連結するボルトナットと、
を備えた構成を有することを特徴とする床カバー材支持装置。
【手続補正２】
【補正対象書類名】明細書
【補正対象項目名】００１０
【補正方法】変更
【補正の内容】
【００１０】
前記課題を解決するため本発明は、躯体と躯体の間隙に床カバー材を取り付けて両躯体の床面を接合する床用エキスパンションジョイントの床カバー材支持装置において、リング形の係合部を備えていて前記一側の躯体上の間隙に面する端部に設けられた凹面部内に前記係合部の開口面を間隙長さ方向に向けて固定される躯体側係合部材と、リング形の係合部を備えていて前記床カバー材の端部から前記係合部を突出させて床カバー材に固定される床カバー材側係合部材と、前記凹面部上で前記躯体側係合部材の係合部とこれに並設させた前記床カバー材側係合部材の係合部とを両係合部の開口面に軸部を挿通して連結するボルトナットと、を備えた構成を有することを特徴とする。
【手続補正３】
【補正対象書類名】明細書
【補正対象項目名】００２１
【補正方法】変更
【補正の内容】
【００２１】
支持装置６の躯体側係合部材６１は、その台座６１ａの側面に取り付け片を溶接固着した状態で、躯体２上の間隙４に面する端部に設けられた凹面部２１ａの上面に設置され、前記取り付け片の上面からアンカーボルトを凹面部２１ａ内に打ち込むなどして当該凹面部２１ａ上に固定される。このとき、アイボルト６１ｄが凹面部２１ａ内に納まるように、つまりアイボルト６１ｄの上端が凹面部２１ａよりも上方へ突出しないように設定され、また、アイボルト６１ｄの開口面が間隙４の長さ方向を向くように台座６１ａの固定位置が調整される。
また、床カバー材側係合部材６２は、支持板６２ａの他側面を床カバー材５の端部５１の下面に溶接固着して固定され、この固定された支持板６２ａに、アイボルト６２ｂが前記のように配置されて取り付けられる。このとき、図２に示されるように、アイボルト６２ｂを支持板６２ａに取り付けた状態で、アイボルト６２ｂの半周面が床カバー材５の端部５１よりも外方に突出するように、支持板６２ａの固定位置が調整される。